(57)【特許請求の範囲】
【請求項１】
撮像素子が配置されたスコープと内視鏡システムの各装置との間を、コネクタを用いて接続するケーブルと、
このケーブルの端部の外装部材として配置され、導電性支持体を有するカバーゴムと、
このカバーゴムの内側で上記ケーブルの外側に配置されたノイズ除去用フェライトコアと、
上記スコープ又はコネクタに対し上記ケーブルを取付け保持するための導電性保持部と、
この導電性保持部と上記カバーゴムの導電性支持体との連結部分に介挿され、これら間の電気的接触を回避するための絶縁体部材と、を備えた内視鏡ケーブル装置。
【請求項２】
上記カバーゴムの根元側をカットして絶縁体外装部材を取付け、この絶縁体外装部材を、上記導電性保持部と上記カバーゴムの導電性支持体との間の電気的接触を回避するための上記絶縁体部材として用いたことを特徴とする請求項１記載の内視鏡ケーブル装置。
【発明の詳細な説明】
【０００１】
【発明の属する技術分野】
本発明は内視鏡ケーブル装置、特にフェライトコアを用いて内視鏡（電子内視鏡）システムの各部からノイズを外部へ放散することを抑制するための内視鏡ケーブル装置の構成に関する。
【０００２】
【従来の技術】
内視鏡装置では、装置から外部へ放散するノイズ（内部駆動回路等から生じる高周波ノイズ）を除去するために各種のノイズ対策が採られている。即ち、この内視鏡装置のシステムにおいては、スコープを光源装置やプロセッサ装置に接続し、またこれらには画像記録装置等の各種の装置を接続する構成となっており、これら接続のためのケーブル及びコネクタ部でも、電気的なシールドやフェライトコア（磁性体）等の種々のノイズ除去部材が配置される。
【０００３】
図５には、従来の内視鏡スコープのケーブルコネクタ部におけるノイズ対策の構成が示されている。図５において、コネクタ部１は、ライトガイドの光入力端２が配置された光源装置側の接続部１Ａ、スコープに直接接続されたケーブル３、プロセッサ装置に接続される分岐ケーブル４が配置される。これらのケーブル３及び４内には、電気的シールド構造を有する信号線や電源線が複数本配設されるが、これらをまとめて内包する当該ケーブル３，４においても、その外皮直下に電気的シールド体（金属ネット）３Ａ，４Ａを備えており、二重シールド構造となっている。
【０００４】
また、このコネクタ部１内には、各種の回路を実装した回路基板が配置され、この回路基板に各種の信号線や電源線等が接続されるが、これらの線にフェライトコアが配置されると共に、上記分岐ケーブル４の根元部４Ｅにもこのケーブル４の外周にフェライトコアＦ１が配置される。
【０００５】
即ち、この根元部４Ｅのケーブル４の外周には、この部分の極端な折れ曲がり等を防止するために、金属製支持筒５がインサート形成されたカバーゴム６が取り付けられており、このカバーゴム６とケーブル４との間にフェライトコアＦ１が設けられる。なお、ケーブル４のシールド体４Ａは導電線７を介してコネクタ部１のＳ端子（電気メスのグランドへつながる端子）に接続される。
【０００６】
上記のフェライトコアＦ1は、内部の導電線を流れる高周波ノイズの所定の周波数でインピーダンスが高くなっており、このインピーダンスの抵抗成分によりノイズ電流が熱エネルギーへ変換されることによって、ノイズを除去するものである。従来では、このようなフェライトコアＦ1を設けると共に、ケーブル３，４に設けたシールド体３Ａ，４Ａ等を接地電位に接続すること等により、高周波ノイズの良好な除去が図られている。
【０００７】
【発明が解決しようとする課題】
しかしながら、従来の内視鏡ケーブル装置におけるフェライトコアＦ１の配置では、このフェライトコアＦ１で所定のノイズを取り除いても、図５で示したように、その外周に金属製支持筒５を有するカバーゴム６が配置されることから、ノイズの放散防止が効率よく行われていないという問題があった。
【０００８】
即ち、上記カバーゴム６の金属製支持筒５は、コネクタ部１のケース体８に取り付けられる金属製の接続筒９に接触しており、この接続筒９を介してノイズ電流が支持筒５へ流れ、この支持筒５がアンテナとなって外部へノイズが放散され、この結果ノイズ除去効果が低下することが分かった。
【０００９】
本発明は上記問題点に鑑みてなされたものであり、その目的は、カバーゴム内の導電性支持体へのノイズ電流の回り込みを防止し、フェライトコアによるノイズ除去効果を減殺することのない内視鏡ケーブル装置を提供することにある。
【００１０】
上記目的を達成するために、請求項１の発明は、撮像素子が配置されたスコープと内視鏡システムの各装置との間を、コネクタを用いて接続するケーブルと、このケーブルの端部の外装部材として配置され、導電性支持体を有するカバーゴムと、このカバーゴムの内側で上記ケーブルの外側に配置されたノイズ除去用フェライトコアと、上記スコープ又はコネクタに対し上記ケーブルを取付け保持するための導電性保持部と、この導電性保持部と上記カバーゴムの導電性支持体との連結部分に介挿され、これら間の電気的接触を回避するための絶縁体部材と、を備えたことを特徴とする。
請求項２の発明は、上記カバーゴムの根元側をカットして絶縁体外装部材を取付け、この絶縁体外装部材を、上記導電性保持部と上記カバーゴムの導電性支持体との間の電気的接触を回避するための上記絶縁体部材として用いたことを特徴とする。
【００１１】
上記の構成によれば、上記絶縁体部材によって例えばコネクタ部の導電性接続部材（導電性保持部）とカバーゴムの導電性支持筒との接触がなくなり、フェライトコアの外周側へのノイズの回り込みが回避される。従って、従来のように、上記支持筒がアンテナとなってノイズを放散することが防止される。
【００１２】
【発明の実施の形態】
図１乃至図３には、実施形態の第１例に係る内視鏡ケーブル装置が示されており、まず図３により内視鏡（電子内視鏡）の全体構成を説明する。図３において、スコープ１０の先端にはＣＣＤ１１が取り付けられ、このスコープ１０の操作部１０Ａに、ケーブル１２及びこのケーブル１２に一体となるコネクタ部１３が設けられる。このケーブル１２は、コネクタ部１３を介して光源装置１５に接続され、またこのコネクタ部１３から分岐する分岐ケーブル１６がコネクタ部１６Ｂを介してプロセッサ装置１７へ接続される。
【００１３】
即ち、上記のケーブル１２は光源装置１５に接続されるライトガイドと、プロセッサ装置１７に接続される信号線、電源線等を内包し、分岐ケーブル１６は信号線、電源線等を内包することになる。なお、図４のコネクタ部１３に、電気メスのグランドへ接続されるＳ端子１８が配置される。また、このコネクタ部１３内には、各種の回路部材を実装した回路基板が設けられる。
【００１４】
図１には、上記図３で説明した分岐ケーブル１６の根元部１６Ａの内部拡大構成が示され、図２にはこの図１のＩＩ−ＩＩ線の断面図が示されており、このケーブル１６の根元部１６Ａはコネクタ部１３に対し所定の角度だけ回転可能となっている。
【００１５】
即ち、ケーブル１６は保持筒２０に嵌合され、この保持筒２０に一体に連結リング２１が設けられており、この連結リング２１がコネクタ部１３側の接続筒２４に、ネジ結合部を有する回転リングで接続固定される。そして、上記接続筒２４は、ナット部材２５でケース体１３Ａに取り付けられ、この接続筒２４の側面には、上記連結リング２１に固定されたピン２７が所定角度の範囲を摺動する規制溝２８が形成される。
【００１６】
また、ケーブル１６は、図２にも示されるように、外皮３０の下側に金属ネットからなるシールド体３１を有しており、このシールド体３１の内側に、当該ケーブル１６の支持管の役割をすると共に、可撓性を付与するための螺管（螺旋管）３２が配置される。そして、上記シールド体３１は、リード線３３を介してコネクタ部１３の上記Ｓ端子１８に接続され、当該ケーブル１６の内部には、信号線、電源線等の導電線３４が配置される。
【００１７】
一方、このケーブル１６の外側には、金属製支持筒３７をインサート形成したカバーゴム３８が被せられており、このカバーゴム３８と上記ケーブル１６との間に、当該例では、ノイズに対するインピーダンス周波数特性の異なる二つのフェライトコアＦ２，Ｆ３が取り付けられる。例えば、このフェライトコアＦ２として、数十ＭＨｚ〜１００ＭＨｚでインピーダンス１００Ω以上となる特性を持つもの、フェライトコアＦ３として、約５０〜５００ＭＨｚでインピーダンス１００Ω以上となる特性を持つものが配置される。
【００１８】
これらのフェライトコアＦ２，Ｆ３の周波数特性は、材料であるＮｉ（ニッケル）、Ｚｎ（亜鉛）等の配分比や、コア自体の体積或は長さ及び厚み等の寸法等を変えることによって調整することになり、その他の特性としてもよい。
【００１９】
そして、第１例では、上記コネクタ部１３の接続筒２４と上記カバーゴム３８の支持筒３７との間に、合成樹脂製（非導電性部材）からなる絶縁体リング４０を配置しており、この絶縁体リング４０はネジ結合部Ｇ１で上記接続筒２４に固定される。なお、この絶縁体リング４０の外周には、Ｏリング４１が配置される。
【００２０】
従って、当該第１例では、上述した合成樹脂製絶縁体リング４０によって、カバーゴム３８の金属製支持筒３７がコネクタ部１３側の接続筒２４から電気的に分離されるので、この接続筒２４を介して、ノイズ電流が上記の支持筒３７へ回り込むことが回避され、カバーゴム３８の支持筒３７がアンテナとなってノイズを放散することが防止される。
【００２１】
この結果、上記フェライトコアＦ２，Ｆ３のノイズ除去効果を発揮させて、ケーブル装置からのノイズ放散を良好に抑制することが可能となる。特に当該例では、インピーダンス周波数特性の異なる二つのフェライトコアＦ２，Ｆ３により、広帯域で高周波ノイズを取り除くことができる。
【００２２】
図４には、実施形態の第２例の構成が示されており、この第２例は、カバーゴム側に絶縁体部材を設けたものである。即ち、コネクタ部１３の接続筒４３は従来と同様の金属製のものを用い、カバーゴム４４及びインサート形成の金属製支持筒４５の根元側をカットし、この支持筒４５に合成樹脂製の絶縁体筒４６を取り付ける。この絶縁体筒４６は、第１例の場合と同様に、ネジ結合部Ｇ２で螺合結合して固定される。
【００２３】
このような第２例によっても、合成樹脂製絶縁体筒４６を介在させることによって、カバーゴム４４の金属製支持筒４５がコネクタ部１３側の接続筒４３から電気的に分離されるので、ノイズ電流が上記の支持筒４５へ回り込むことが回避され、上記支持筒４５がアンテナとなるノイズの放散が抑制される。
【００２４】
なお、上記例では、分岐ケーブル１６の根元部１６Ａの場合を説明したが、このケーブル１６の反対側のコネクタ部１６Ｂ（図３に示すプロセッサ装置接続側）、或はスコープ１０に直接接続されるケーブル１２側の両端部等に本発明を適用することができる。
【００２５】
【発明の効果】
以上説明したように、本発明によれば、各装置間の接続ケーブルに導電性支持体を有するカバーゴムを被せ、このカバーゴムとケーブルとの間にノイズ除去用フェライトコアを配置する場合において、このカバーゴムの導電性支持体と上記ケーブルを取付け保持する保持部側の導電性部材との連結部分に、これら間の電気的接触を回避するための絶縁部材を介挿したので、カバーゴムの支持筒へのノイズの回り込みが回避される。従って、従来のように、上記支持筒がアンテナとなってノイズを放散することが防止され、フェライトコアによるノイズ除去効果を良好に機能させることができる。
【図面の簡単な説明】
【図１】本発明の実施形態の第１例に係る内視鏡ケーブル装置の構成を示し、図３のコネクタ部から分岐する分岐ケーブルの根元部の断面図である。
【図２】図１のＩＩ−ＩＩ線で分岐ケーブルの根元部を切断した断面図である。
【図３】内視鏡装置のシステムを示す全体図である。
【図４】実施形態の第２例の構成を示す断面図ある。
【図５】従来における内視鏡ケーブル装置で、光源装置へ接続されるコネクタ部の構成を示す図である。
【符号の説明】
１，１３，１６Ｂ  …  コネクタ部、
３，１２  …  ケーブル、
４，１６  …  分岐ケーブル、  ４Ｅ，１６Ａ  …  根元部、
５，３７，４５  …  支持筒、
６，３８，４４  …  カバーゴム、
９，２４，４３  …  接続筒、
３７，４４  …  金属支持管、
４０  …  絶縁体リング、
４６  …  絶縁体筒、
Ｆ１〜Ｆ３  …  フェライトコア。
【図１】
0003607812.tif 000002
【図２】
0003607812.tif 000003
【図３】
0003607812.tif 000004
【図４】
0003607812.tif 000005
【図５】
0003607812.tif 000006